(57)【特許請求の範囲】
【請求項１】
アバットメントねじ（５６）によって骨レベル歯科インプラント（４０）に取り付けられるために適合された万能軟組織レベルアバットメント部（１０）と、万能軟組織レベルアバットメント部（１０）に対して冠状アバットメント部（７２）及びねじで保持された最終修復物（６８）を選択的に結合するために適合されているさらなるねじ（７４）とを含むアバットメントシステム（１２）であって、
アバットメントねじ（５６）が、骨レベル歯科インプラントに係合するように構成された尖状雄ねじ付き部と、冠状雌ねじ付き部とを有し、さらなるねじ（７４）が、アバットメントねじの冠状雌ねじ付き部と係合するように構成された尖状雄ねじ付き部を有し、これにより、さらなるねじ（７４）の尖状雄ねじ付き部が、万能軟組織レベルアバットメント部の内部に少なくとも部分的に座り、
万能軟組織レベルアバットメント部（１０）が、骨レベル歯科インプラント（４０）が顎骨内に設置された直後に取り付けられて、骨レベル歯科インプラント（４０）に取り付けられたままであるように適合されており、
万能軟組織レベルアバットメント部（１０）が、軟組織（６４）に露出するために作られた外部表面（２８）を持ち、
万能軟組織レベルアバットメント部（１０）が、ねじで保持された補綴要素を支持するように適合されており、
アバットメントシステムが
−  さらなるねじ（７４）によって万能軟組織レベルアバットメント部に取り付けられた冠状アバットメント部（７２）によって支持された、セメントで保持された最終修復物（６６）、
及び
−  さらなるねじ（７４）によって万能軟組織レベルアバットメント部に直接取り付けられた、ねじで保持された最終修復物（６８）、
の両方を選択的に支持するために適合されていることを特徴とするアバットメントシステム。
【請求項２】
アバットメントねじが冠状雌ねじ付き部（６２）を持ち、さらなるねじが、アバットメントねじの冠状雌ねじ付き部と係合するための尖状雄ねじ付き部（８８）を持つことを特徴とする請求項１に記載のアバットメントシステム。
【請求項３】
万能軟組織レベルアバットメント部が、万能軟組織レベルアバットメント部の冠状端（１４）の外周に平坦な周囲頂面（１８）を持つことを特徴とする請求項１〜２のいずれかに記載のアバットメントシステム。
【請求項４】
万能軟組織レベルアバットメント部が、万能軟組織レベルアバットメント部に取り付けられた要素の回転を防止するために万能軟組織レベルアバットメント部の冠状端に露出された少なくとも一つの指標要素（２２ａ−ｃ）を持つことを特徴とする請求項１〜３のいずれかに記載のアバットメントシステム。
【請求項５】
平坦な周囲頂面が円形内周（２０）を持ち、少なくとも一つの指標要素が、円形内周から尖状に延びる少なくとも一つの丸い突出部（２２ａ−ｃ）であることを特徴とする請求項３または４に記載のアバットメントシステム。
【請求項６】
外部表面が、万能軟組織レベルアバットメント部の冠状から尖状の方向に湾曲されていることを特徴とする請求項１に記載のアバットメントシステム。
【請求項７】
湾曲された外部表面が、より大きな冠状直径（Ｄ１）からより小さな尖状直径（Ｄ２）に、最初に凸状形状（３０ａ）で、次いで凹状形状（３０ｂ）で延びることを特徴とする請求項６に記載のアバットメントシステム。
【請求項８】
万能軟組織レベルアバットメント部が、骨レベル歯科インプラントの内部連結表面（５４）に対して接触するために適合された外部表面（３２）を持つことを特徴とする請求項１〜７のいずれかに記載のアバットメントシステム。
【請求項９】
異なる直径及び／または高さを持つ複数の万能軟組織レベルアバットメント部を含むことを特徴とする請求項１〜８のいずれかに記載のアバットメントシステム。
【発明の詳細な説明】
【技術分野】
【０００１】
本発明は、アバットメントシステム及びその使用に関する。本発明はまた、歯科方法に関する。
【背景技術】
【０００２】
米国特許第５８１０５９２号（Ｄａｆｔａｒｙ）は、四つの部分：丸みの付いた等辺三角形の形状をした治療アバットメント、大きなボルト部材、整合アバットメントヘッド、及び小さなボルト部材、から作られた歯科インプラントシステムを開示する。治療アバットメントは、患者の顎骨を取り囲む歯肉組織を収容するための中間肩を持つ。さらに、整合アバットメントヘッドは、歯類似物を支持するために治療アバットメント上に固定される。大きなボルト部材は、治療アバットメントをインプラントフィクスチャーに固定するために使用される。小さなボルト部材は、アバットメントヘッドを治療アバットメントに固定するためである。しかし、米国特許第５８１０５９２号の歯科インプラントシステムは、セメントで保持された歯類似物を支持するためだけのようである。
【０００３】
米国特許第５０４０９８３号（Ｂｉｎｏｎ）は、顎骨内に設置された歯科インプラントフィクスチャー上に固定されたコーピングを開示する。上にある歯肉組織を貫通する粘膜貫通要素は、ねじによりインプラントフィクスチャーに固定され、そのヘッド部は、雌ねじ付きソケットを持ち、それは、肩と共働するボルトを受けてコーピングを粘膜貫通要素上に固定する。コーピングは、歯科インプラントフィクスチャーとその粘膜貫通要素からなる支持上に一時的な歯科修復物を取り外し可能に固定するのに使用するために意図されており、そこで永久補綴修復物が最終的に固定されるだろう。一時的な歯科修復物は、コーピング上に及びその周りに取り付けられる。しかし、米国特許第５０４０９８３号のシステムは、ねじで保持された補綴修復物のみを支持する。
【発明の概要】
【０００４】
本発明は、添付の独立請求項に規定される。実施態様は、添付の従属請求項に規定される。
【０００５】
第一態様によれば、アバットメントねじによって骨レベル歯科インプラントに取り付けられるために適合された軟組織レベルアバットメント部を含むアバットメントシステムが提供され、アバットメントシステムは、セメントで保持された最終修復物及びねじで保持された補綴要素の両方を選択的に支持するために適合されている。すなわち、セメントで保持された最終修復物またはねじで保持された補綴要素のいずれかが、同じ軟組織レベルアバットメント部を使用して支持されることができる。これは、アバットメントシステムをフレキシブルに使用させることを可能にする。
【０００６】
アバットメントシステムはさらに、さらなるねじによって軟組織レベルアバットメント部に取り付けられるために適合された冠状アバットメント部を含むことができ、冠状アバットメント部はさらに、セメントで保持された最終修復物を支持するために適合されている。
【０００７】
補綴要素は、さらなるねじによって軟組織レベルアバットメント部に直接取り付けられるために適合された、ねじで保持された最終修復物であることができる。
【０００８】
アバットメントねじは、冠状雌ねじ付き部を持つことができ、さらなるねじは、アバットメントねじの冠状雌ねじ付き部と係合するための尖状雄ねじ付き部を持つ。
【０００９】
軟組織レベルアバットメント部は、軟組織レベルアバットメント部の冠状端の外周に平坦な周囲頂面を持つことができる。
【００１０】
軟組織レベルアバットメント部は、軟組織レベルアバットメント部に取り付けられた要素の回転を防止するために軟組織レベルアバットメント部の冠状端に露出された少なくとも一つの指標要素を持つことができる。
【００１１】
平坦な周囲頂面は、円形内周を持つことができ、少なくとも一つの指標要素は、円形内周から尖状に延びる少なくとも一つの丸い突出部である。
【００１２】
軟組織レベルアバットメント部は、軟組織に露出するために作られた外部表面を持つことができる。外部表面は、軟組織レベルアバットメント部の冠状から尖状の方向に湾曲されることができる。湾曲された外部表面は、より大きな冠状直径からより小さな尖状直径に、最初に凸状形状で、次いで凹状形状で延びることができる。
【００１３】
軟組織レベルアバットメント部は、骨レベル歯科インプラントの内部連結表面に対して接触するために適合された外部表面を持つことができる。
【００１４】
アバットメントシステムは、異なる直径及び／または高さを持つ複数の（上述の一般的なタイプの）軟組織レベルアバットメント部を含むことができる。
【００１５】
別の態様は、セメントで保持された最終修復物及びねじで保持された補綴要素の両方を選択的に支持するための上述のアバットメントシステムの使用に関する。この態様は、前述した態様と同じまたは類似する特徴及び利点を示すことができ、かつ逆もまた同様である。
【００１６】
さらに別の態様によれば、歯科方法が提供され、それは、骨レベル歯科インプラントに取り付けられるために適合された万能軟組織レベルアバットメント部を含むアバットメントシステムを準備すること、及び万能軟組織レベルアバットメント部を患者の顎骨内に設置された骨レベル歯科インプラントに取り付けることを含み、アバットメントシステムは、セメントで保持された最終修復物及びねじで保持された最終修復物の両方を選択的に支持するために適合されている。この態様は、前述した態様と同じまたは類似する特徴及び利点を示すことができ、かつ逆もまた同様である。
【００１７】
万能軟組織レベルアバットメント部は、以下のことを含む方法の続く工程時に骨レベル歯科インプラントに取り付けられたままであることができる：セメントで保持された最終修復物及びねじで保持された最終修復物のうちの一つを選択すること；及び選択された最終修復物をアバットメントシステムに取り付けること。
【００１８】
万能軟組織レベルアバットメント部は、骨レベル歯科インプラントが患者の顎骨内に設置された直後に骨レベル歯科インプラントに取り付けられることができる。
【００１９】
骨レベル歯科インプラントは、選択された最終修復物が取り付けられる前に少なくとも部分的にオッセオインテグレートさせられることができる。
【００２０】
骨レベル歯科インプラントは、骨レベル歯科インプラントの冠状端が顎骨の縁と実質的に同レベルにあるように顎骨内に設置されることができる。
【００２１】
取り付けられた万能軟組織レベルアバットメント部は、軟組織に露出された外部表面を持つことができる。
【００２２】
さらに別の態様によれば、アバットメントシステムの万能軟組織レベルアバットメント部が、患者の顎骨内に設置された骨レベル歯科インプラントに取り付けられ、アバットメントシステムが、セメントで保持された最終修復物及びねじで保持された最終修復物の両方を選択的に支持するために適合されている、歯科方法であって、セメントで保持された最終修復物及びねじで保持された最終修復物のうちの一つを選択すること；及び選択された最終修復物をアバットメントシステムに取り付けることを含む方法が提供される。この態様は、前述した態様と同じまたは類似する特徴及び利点を示すことができ、逆もまた同様である。
【００２３】
本発明のこれらの及び他の態様が、本発明の好ましい実施態様を示す添付図面を参照してより詳細に述べられるだろう。
【図面の簡単な説明】
【００２４】
【図１ａ】図１ａは、本発明によるアバットメントシステムの軟組織レベルアバットメント部の断面側面図である。
【００２５】
【図１ｂ】図１ｂは、図１ａの軟組織レベルアバットメント部の透視図である。
【００２６】
【図２ａ】図２ａは、歯科インプラントに取り付けられた図１ａの軟組織レベルアバットメント部の断面側面図である。
【００２７】
【図２ｂ】図２ｂは、図２ａの装置の透視図である。
【００２８】
【図３】図３は、カバーねじとともに図２ａの軟組織レベルアバットメント部及び歯科インプラントの透視図である。
【００２９】
【図４ａ】図４ａは、セメントで保持された最終修復物を支持するための冠状アバットメント部とともに図２ａの軟組織レベルアバットメント部及び歯科インプラントの側面図である。
【００３０】
【図４ｂ】図４ｂは、図４ａの装置の断面側面図である。
【００３１】
【図４ｃ】図４ｃは、図４ａの装置の透視図である。
【００３２】
【図４ｄ】図４ｄは、図４ａの装置の断面透視図である。
【００３３】
【図５ａ】図５ａは、ねじで保持された最終修復物とともに図２ａの軟組織レベルアバットメント部及び歯科インプラントの透視図である。
【００３４】
【図５ｂ】図５ｂは、図５ａの装置の断面側面図である。
【００３５】
【図５ｃ】図５ｃは、図５ａの装置の断面透視図である。
【００３６】
【図６】図６は、本発明による方法の流れ図である。
【発明を実施するための形態】
【００３７】
図１ａ−ｂは、アバットメントシステム１２の（万能）軟組織レベルアバットメント部１０を示す。軟組織レベルアバットメント部１０は、それが以下にさらに説明されるように、セメントで保持された最終修復物及びねじで保持された補綴要素の両方と共に使用されることができる点で「万能（ｕｎｉｖｅｒｓａｌ）」である。
【００３８】
軟組織レベルアバットメント部１０は好ましくは一体片で作られ、それは例えばチタンまたはセラミック材料（例えばジルコニア）から作られることができる。
【００３９】
軟組織レベルアバットメント部１０は冠状（ｃｏｒｏｎａｌ）端１４と尖状（ａｐｉｃａｌ）端１６を持つ。冠状端１４で、軟組織レベルアバットメント部１０は、軟組織レベルアバットメント部１０の外周に平坦な周囲頂面１８を持つことができる。平坦な周囲頂面１８は、いかなるセメントまたは同様物もなしで、対応する平坦面を持つ別の要素に対して効果的な封止を可能にする。
【００４０】
平坦な周囲頂面１８は、円形であることでできる内周２０を持つ。円形内周２０は、少なくとも一つの指標要素を収容することができ、それは、ここでは円形内周２０の周りに均一に配置された三つの凹状の丸い突出部２２ａ−ｃの形である。三つの凹状の丸い突出部２２ａ−ｃは、軟組織レベルアバットメント部１０の内部側壁２４内の円形内周２０から尖状に延びる。指標要素は、軟組織レベルアバットメント部１０に取り付けられている対応する指標要素を持つ要素の（軟組織レベルアバットメント部１０の縦軸２６の周りの）回転を防止することができる。かかる要素は、例えばねじで保持された単一の修復物（冠）であることができる。しかし、対応する指標要素を持たない要素は回転を防止されることができないかもしれない。かかる要素は、円形内周２０に対応する円形界面を持つこと（のみ）ができる。凹状の丸い突起部２２ａ−ｃの代わりに、他の指標要素、例えば凸状の丸い突起部（図示せず）が可能であることが認められる。また、指標要素の数は変えられることができる。
【００４１】
平坦な周囲頂面１８から尖状に延びて、軟組織レベルアバットメント部１０はさらに、軟組織または歯肉に露出するために作られた外部表面２８を持つ。従って、「軟組織レベル（ｓｏｆｔ  ｔｉｓｓｕｅ  ｌｅｖｅｌ）」のアバットメント部１０の用語がある。
【００４２】
外部表面２８は、軟組織接触長を増加しかつ軟組織健康状態を改善するために、その高さＨより大きい長さＬを持つことができる。長さは例えば約２．５ｍｍであることができ、一方高さは約２ｍｍであることができる。軟組織レベルアバットメント部１０の限定された高さまたは低い側面はまた、歯科インプラントの不必要な装着なしの治療を可能にする（以下参照）。
【００４３】
外部表面２８は、例えばその冠状端と尖状端の間で少なくとも部分的に湾曲されることができる。図１ａ−ｂに示された実施態様では、湾曲された外部表面２８は、より大きな冠状直径Ｄ１からより小さい冠状直径Ｄ２に、最初に凸状形状３０ａで、次いで凹状形状３０ｂで延びる。他の形状も可能であることは認められる。例えば外部表面２８は、互いに対して傾斜している直線部を含むことができる。
【００４４】
また、外部表面２８は、一つまたは複数の円周またはリング形状の溝（図示せず）を備えることができ、それにより充分な長さ及び軟組織の追加の幾何学的固定が確立されることができる。
【００４５】
また、外部表面２８の下方（尖状）部は、改善された安定化のために粗くされることができる。
【００４６】
外部表面２８は、軟組織レベルアバットメント部１０の外部表面３２中に尖状的に移行する。外部表面３２は一般的に、以下にさらに説明されるように、骨レベル歯科インプラントの内部連結面に対して接触するために適合される。外部表面３２は、直線であることができるが、軟組織レベルアバットメント部１０の尖状端１６に向けて減少する直径を持って、軟組織レベルアバットメント部１０の縦軸２６に対して傾斜されることができる。言い換えれば、円錐形部が軟組織レベルアバットメント部１０上に形成される。代替実施態様（図示せず）では、外部表面は、軟組織レベルアバットメント部１０がどのインプラントに取り付けられるべきかに依存して、軟組織レベルアバットメント部１０の縦軸２６に平行であることができる。
【００４７】
尖状端１６に、軟組織レベルアバットメント部１０は連結部３４を含むことができる。連結部３４は骨レベル歯科インプラントの連結凹所内に適合するように寸法決定されている略六角形形状の外部を含むことができる。
【００４８】
軟組織レベルアバットメント部１０はさらに、冠状端１４から尖状端１６に延びかつ軟組織レベルアバットメント部１０の縦軸２６と一致する内孔３６を含む。内孔３６内に、座部３８がある。
【００４９】
図２ａ−ｂは、歯科インプラント４０に取り付けられた軟組織レベルアバットメント部１０を示す。歯科インプラント４０は、「骨レベル」歯科インプラントであり、それは、歯科インプラント４０が顎骨４６内に設置されるとき、その冠状端４２が実質的に患者の顎骨４６の縁または頂上４４と同レベルにあることを意味する。
【００５０】
歯科インプラント４０は、例えばＷＯ２００８／１２８７５７Ａ２に開示されたタイプのものであることができ、その内容は参考としてここに組み入れられる。しかし、他の（骨レベル）インプラントも同様に使用されることができる。
【００５１】
特に、歯科インプラント４０は、歯科インプラント４０の冠状（または基部）端４２に対して開いている内部連結界面を含む。内部連結界面は、円錐室４８、六角形連結凹所５０、及び雌ねじ付き部５２を含む。円錐室４８は、組織レベルアバットメント部１０の外部表面３２と整合する傾斜した内部連結表面５４を持つ。
【００５２】
使用時には、軟組織レベルアバットメント部１０は、図２ａ−ｂに示されるように、アバットメントねじ５６によって骨レベル歯科インプラント４０に取り付けられる。アバットメントねじ５６はアバットメントシステム１２内に含まれることができる。アバットメントねじ５６は、歯科インプラント４０の雌ねじ付き部５２と係合するための尖状雄ねじ付き部５８を持つ。さらに、アバットメントねじ５６は、軟組織レベルアバットメント部１０の座部３８に対して載るヘッド６０を持つ。ヘッド６０は冠状雌ねじ付き部６２を持つことができる。アバットメントねじ５６を締めつけると、軟組織レベルアバットメント部１０は歯科インプラント４０にしっかりと取り付けられ、整合する表面３２及び５４が効果的なきつい封止を作る。
【００５３】
また、図２ａに見られるように、軟組織レベルアバットメント部１０の外部表面２８の高さＨは、設置された骨レベル歯科インプラント４０に隣接した軟組織６４の高さに対応することができる。
【００５４】
本アバットメントシステム１２は、セメントで保持された最終修復物６６（図４ａ−ｄ及び６参照）及びねじで保持された最終修復物６８（図５ａ−ｃ及び６参照）の両方を選択的に支持する。言い換えれば、セメントで保持された最終修復物及びねじで保持された最終修復物のいずれかが、同じ軟組織レベルアバットメント部１０を使用して支持されることができる。また、アバットメントシステム１２は、カバーねじ７０（図３参照）、印象用コーピング、バー等のような他のねじで保持された補綴要素を支持することができる。
【００５５】
本発明はまた、二片からなる軟組織レベル歯科インプラントとして考えられることができ、そこでは二片は（骨レベル）歯科インプラント４０及び（軟組織レベル）アバットメント部１０である。
【００５６】
図３では、カバーねじ７０が軟組織レベルアバットメント部１０に取り付けられている。カバーねじ７０は、アバットメントねじ５６の雌ねじ付き部６２との係合のための雄ねじ付き部（図示せず）を持つことができる。カバーねじ７０はさらに、カバーねじ７０と軟組織レベルアバットメント部１０の間の効果的な封止を作るために、軟組織レベルアバットメント部１０の平坦な周囲頂面１８と整合する平坦な周囲表面を持つことができる。カバーねじ７０の頂部は、軟組織を損傷しないようにわずかに丸くすることができる。
【００５７】
図４ａ−ｄでは、アバットメントシステム１２はさらに、冠状アバットメント部７２を含む。冠状アバットメント部７２は、さらなるねじ７４によって軟組織レベルアバットメント部１０に取り付けられるように適合される。さらなるねじ７４はまた、アバットメントシステム１２内に含まれることができる。
【００５８】
冠状アバットメント部７２は、アバットメント部１０と７２の間の効果的な封止が達成されることができるように、図４ｂ及び４ｄに見られるように、軟組織レベルアバットメント部１０の冠状端１４と少なくとも部分的に整合する尖状端７６を持つ。冠状アバットメント部７２はさらに、その冠状端８０と尖状端７６の間に延びる内孔７８を含む。内孔７８には、座部８２がある。冠状アバットメント部７２はさらに、歯冠またはブリッジのようなセメントで保持された最終修復物（図４ａ−ｄには図示せず）を支持するために適合されている。この目的のために、冠状アバットメント部７２の外部表面８４は、セメントを収容するための一つまたは複数の縦溝８６を含むことができる。外部表面８４はまた、複数の（より小さい）横溝及び隆起８７を含むことができる。さらに、冠状アバットメント部７２は、冠状アバットメント部７２が軟組織レベルアバットメント部１０に取り付けられるときに平坦な周囲頂面１８の一部分が露出したままであるように設計されることができる。平坦な周囲頂面１８の露出した部分はまた、セメントで保持された最終修復物のための支持部としての役目をすることができる。
【００５９】
使用時に、冠状アバットメント部７２は、さらなるねじ７４によって軟組織レベルアバットメント部１０に取り付けられる。さらなるねじ７４は、アバットメントねじ５６の雌ねじ付き部６２と係合するための尖状雄ねじ付き部８８を持つ。また、さらなるねじ７４は、冠状アバットメント部７２の座部８２に対して載るヘッド９０を持つ。ヘッド９０は、冠状ツールソケット９２を持つことができる。さらなるねじ７４を締めつけると、冠状アバットメント部７２は、軟組織レベルアバットメント部１０にしっかりと取り付けられる。その後、セメントで保持された最終修復物は、それ自体知られた態様で冠状アバットメント部７２の頂部にセメント固定されることができる。
【００６０】
図５ａ−ｃは、さらなるねじ７４によって軟組織レベルアバットメント部１０に取り付けられたねじで保持された最終修復物６８を示す。図５ａ−ｃのねじで保持された最終修復物６８は歯冠として具体化されているが、それはまたブリッジ等であることができる。
【００６１】
ねじで保持された最終修復物６８は、軟組織レベルアバットメント部１０とねじで保持された最終修復物６８の間の効果的な封止が達成されることができるように、特に図５ｂ−ｃに見られるように、軟組織レベルアバットメント部１０の冠状端１４と少なくとも部分的に整合する尖状端９４を持つ。ねじで保持された最終修復物６８は、ねじで保持された最終修復物６８が軟組織レベルアバットメント部１０に取り付けられるときに平坦な周囲頂面１８のどの部分も露出されたままにならないように設計されることができる。これは、ねじで保持された最終修復物６８と軟組織レベルアバットメント部１０の間の滑らかな移行を確保する。ねじで保持された最終修復物６８はさらに、その冠状端９８と尖状端９４の間に延びる内孔９６を含む。内孔９６には、座部１００がある。
【００６２】
使用時に、ねじで保持された最終修復物６８は、さらなるねじ７４によって軟組織レベルアバットメント部１０に直接取り付けられる。さらなるねじ７４は、アバットメントねじ５６の雌ねじ付き部６２と係合するための尖状雄ねじ付き部８８を持つ。また、さらなるねじ７４は、ねじで保持された最終修復物６８の座部１００に対して載るヘッド９０を持つ。ヘッド９０は、冠状ツールソケット９２を持つことができる。さらなるねじ７４を締めつけると、ねじで保持された最終修復物６８は、軟組織レベルアバットメント部１０にしっかりと取り付けられる。その後、内孔９６の開放部は、充填剤（図示せず）で満たされることができる。
【００６３】
図６を参照すると、アバットメントシステム１２は以下の方法で使用されることができる：
【００６４】
最初に、骨レベル歯科インプラント４０が、外科医によりそれ自体知られた態様で患者の顎骨４６内に設置される（ａ）。歯科インプラント４０は、歯科インプラント４０の冠状端４２が実質的に顎骨４６の上縁と同レベルであるように設置されるべきである。
【００６５】
次いで、設置後に、軟組織レベルアバットメント部１０が、アバットメントねじ５６によって外科医により歯科インプラント４０に取り付けられる（ｂ）。この軟組織レベルアバットメント部１０は、通常、それがインプラント４０に取り付けられた後に除去されないだろう。軟組織レベルアバットメント部１０は、歯科インプラント４０が設置された直後に歯科インプラント４０に取り付けられることができる。
【００６６】
補綴専門家（それは典型的には外科医と同じ人ではない）が、その後、使用されるべきであるセメントで保持された最終修復物６６及びねじで保持された最終修復物６８のどちらかの一つを決定または選択するかは自由である（ｃ）。これは、本システムを非常にフレキシブルなものにする。
【００６７】
選択された最終修復物が、次いで、図４ａ−ｄまたは図５ａ−ｃに関して述べられたように、すなわち軟組織レベルアバットメント部１０を除去する必要なしに、かついかなる軟組織封止も破壊することなしに、取り付けられることができる（ｄ）。また、カバーねじまたは印象コーピングを軟組織レベルアバットメント部１０に取り付けるようないかなる中間操作もいかなる軟組織封止も破壊することなしに実行されることができる。工程（ｄ）は、歯科インプラント４０のオッセオインテグレーションを可能にするために工程（ｂ）（軟組織レベルアバットメント部１０の取り付け）の後の数週間または数ヶ月で実施されることができる。これに代えて、即時／早期の装着プロトコルが使用されることができる。
【００６８】
さらに、異なる直径（幅）及び／または異なる高さを持つ複数の軟組織レベルアバットメント部１０が、種々の臨床状況を満たすために準備されることができる。これは、本システム及び方法を一体片の軟組織レベル歯科インプラントシステムよりフレキシブルなものにする。
【００６９】
当業者は、本発明が上述の好適な実施態様に決して限定されないことを理解する。逆に、多くの修正及び改変が添付の請求項の範囲内で可能である。
【図１ａ】
0006259822.tif 000002
【図１ｂ】
0006259822.tif 000003
【図２ａ】
0006259822.tif 000004
【図２ｂ】
0006259822.tif 000005
【図３】
0006259822.tif 000006
【図４ａ】
0006259822.tif 000007
【図４ｂ】
0006259822.tif 000008
【図４ｃ】
0006259822.tif 000009
【図４ｄ】
0006259822.tif 000010
【図５ａ】
0006259822.tif 000011
【図５ｂ】
0006259822.tif 000012
【図５ｃ】
0006259822.tif 000013
【図６】
0006259822.tif 000014